(57)【特許請求の範囲】
【請求項１】
背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成し、前記第１ビデオ及び第２ビデオの撮影時間長さは、前記第３ビデオの撮影時間長さよりも小さいステップ、及び、
前記第１ビデオ及び前記第２ビデオを比較して、前記第１ビデオから主体画像を抽出して、背景が透明な主体画像フレームシーケンスを生成し、前記主体画像フレームシーケンスにおける各フレーム主体画像を順次に前記第３ビデオに重ね合わせて、主体及び目標背景を記録したビデオファイルを生成するステップ、を含み、
前記第１ビデオ及び前記第２ビデオを比較して、前記第１ビデオから主体画像を抽出して、背景が透明な主体画像フレームシーケンスを生成することは、
前記第２ビデオから1フレームの画像を背景サンプル画像として抽出すること、及び、
前記第１ビデオにおける各フレーム画像と前記背景サンプル画像を比較して、前記第１ビデオの各フレーム画像から背景サンプル画像を除去して、主体画像のみを保留して、主体を除いて透明である主体画像フレームシーケンスを生成すること、を含むビデオキャプチャの処理方法。
【請求項２】
背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成することは、
主体を撮影する命令を受信した後に、第１撮影サンプリングレートで背景サンプル中にある主体を撮影し、撮影を停止する命令を受信した後に、第１ビデオを生成すること、
背景サンプルを撮影する命令を受信した後に、第１撮影サンプリングレートで背景サンプルを撮影して、撮影を停止する命令を受信した後に、第２ビデオを生成すること、及び、
目標背景を撮影する命令を受信した後に、第２撮影サンプリングレートで目標背景を撮影して、撮影を停止する命令を受信した後に、第３ビデオを生成すること、を含み、
前記第１撮影サンプリングレートは、第２撮影サンプリングレートよりも大きい請求項１に記載のビデオキャプチャの処理方法。
【請求項３】
前記主体画像フレームシーケンスにおける各フレーム主体画像を順次に前記第３ビデオに重ね合わせることは、
前記主体画像フレームシーケンスにおける各フレーム主体画像を前記第３ビデオのビットストリームに挿入して、前記第３ビデオのビットストリームが最後のフレームに到達しないと、前記主体画像フレームシーケンスを繰り返して使用し画像を重ね合わせることを含む請求項１又は２に記載のビデオキャプチャの処理方法。
【請求項４】
前記主体及び目標背景を記録したビデオファイルはプレーヤーによりループ再生される請求項１に記載のビデオキャプチャの処理方法。
【請求項５】
背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成し、前記第１ビデオ及び第２ビデオの撮影時間長さは、前記第３ビデオの撮影時間長さよりも小さいように設定される撮影モジュール、及び、
前記第１ビデオ及び前記第２ビデオを比較して、前記第１ビデオから主体画像を抽出して、背景が透明な主体画像フレームシーケンスを生成し、前記主体画像フレームシーケンスにおける各フレーム主体画像を順次に前記第３ビデオに重ね合わせて、主体及び目標背景を記録したビデオファイルを生成するように設定されるビデオ処理モジュール、を備え、
ビデオ処理モジュールは、
前記第２ビデオから１フレームの画像を背景サンプル画像として抽出し、
前記第１ビデオにおける各フレーム画像と前記背景サンプル画像を比較して、前記第１ビデオの各フレーム画像から背景サンプル画像を除去して、主体画像のみを保留して、主体を除いて透明である主体画像フレームシーケンスを生成する方式で、前記第１ビデオ及び前記第２ビデオを比較して、前記第１ビデオから主体画像を抽出して、背景が透明な主体画像フレームシーケンスを生成するように設定されるビデオキャプチャの処理システム。
【請求項６】
撮影モジュールは、
主体を撮影する命令を受信した後に、第１撮影サンプリングレートで背景サンプル中にある主体を撮影し、撮影を停止する命令を受信した後に、第１ビデオを生成し、
背景サンプルを撮影する命令を受信した後に、第１撮影サンプリングレートで背景サンプルを撮影して、撮影を停止する命令を受信した後に、第２ビデオを生成し、
目標背景を撮影する命令を受信した後に、第２撮影サンプリングレートで目標背景を撮影して、撮影を停止する命令を受信した後に、第３ビデオを生成するように設定され、
前記第１撮影サンプリングレートは、第２撮影サンプリングレートよりも大きい請求項５に記載のビデオキャプチャの処理システム。
【請求項７】
ビデオ処理モジュールは、
前記主体画像フレームシーケンスにおける各フレーム主体画像を前記第３ビデオのビットストリームに挿入して、前記第３ビデオのビットストリームが最後のフレームに到達しないと、前記主体画像フレームシーケンスを繰り返して使用し画像を重ね合わせる方式で、前記主体画像フレームシーケンスにおける各フレーム主体画像を順次に前記第３ビデオに重ね合わせるように設定される請求項５又は６に記載のビデオキャプチャの処理システム。
【請求項８】
前記主体及び目標背景を記録したビデオファイルはプレーヤーによりループ再生される請求項５に記載のビデオキャプチャの処理システム。
【請求項９】
カメラ及びプロセッサを備え、
前記カメラは、前記プロセッサの制御で背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成し、前記第１ビデオ及び第２ビデオの撮影時間長さは、前記第３ビデオの撮影時間長さよりも小さいように設定され、
前記プロセッサは、前記カメラが撮影することを制御し、前記第１ビデオ及び前記第２ビデオを比較して、前記第１ビデオから主体画像を抽出して、背景が透明な主体画像フレームシーケンスを生成し、前記主体画像フレームシーケンスにおける各フレーム主体画像を順次に前記第３ビデオに重ね合わせて、主体及び目標背景を記録したビデオファイルを生成するように設定され、
前記プロセッサは、
前記第２ビデオから１フレームの画像を背景サンプル画像として抽出し、
前記第１ビデオにおける各フレーム画像と前記背景サンプル画像を比較して、前記第１ビデオの各フレーム画像から背景サンプル画像を除去して、主体画像のみを保留して、主体を除いて透明である主体画像フレームシーケンスを生成する方式で、前記第１ビデオ及び前記第２ビデオを比較して、前記第１ビデオから主体画像を抽出して、背景が透明な主体画像フレームシーケンスを生成するように設定されるビデオキャプチャ装置。
【請求項１０】
前記カメラは、
前記プロセッサの主体を撮影する命令を受信した後に、第１撮影サンプリングレートで背景サンプル中にある主体を撮影し、撮影を停止する命令を受信した後に、第１ビデオを生成し、
背景サンプルを撮影する命令を受信した後に、第１撮影サンプリングレートで背景サンプルを撮影して、撮影を停止する命令を受信した後に、第２ビデオを生成し、
目標背景を撮影する命令を受信した後に、第２撮影サンプリングレートで目標背景を撮影して、撮影を停止する命令を受信した後に、第３ビデオを生成するように設定され、
前記第１撮影サンプリングレートは、第２撮影サンプリングレートよりも大きい請求項９に記載のビデオキャプチャ装置。
【請求項１１】
前記プロセッサは、
前記主体画像フレームシーケンスにおける各フレーム主体画像を前記第３ビデオのビットストリームに挿入して、前記第３ビデオのビットストリームが最後のフレームに到達しないと、前記主体画像フレームシーケンスを繰り返して使用し画像を重ね合わせる方式で、前記主体画像フレームシーケンスにおける各フレーム主体画像を順次に前記第３ビデオに重ね合わせるように設定される請求項９又は１０に記載のビデオキャプチャ装置。
【請求項１２】
ディスプレイを更に備え、前記プロセッサは更に、前記主体及び目標背景を記録したビデオファイルを前記ディスプレイにループ再生することを制御するように設定される請求項９に記載のビデオキャプチャ装置。
【請求項１３】
コンピュータに請求項１−４のいずれか一項に記載の方法を実行させるためのプログラムを記録したコンピュータ読み取り可能な記録媒体。
【発明の詳細な説明】
【技術分野】
【０００１】
本発明はビデオキャプチャ技術分野に関し、特にビデオキャプチャの処理方法、システム及び装置に関する。
【背景技術】
【０００２】
携帯電話の撮影は非常に重要な機能であり、現在の携帯電話の日常の使用過程において、携帯電話のカメラ及び録画使用は非常に頻繁であり、ユーザが携帯電話を使用して写真撮影、録画撮影を行うことは通常の結果を既に満たさない。携帯電話撮影の様々な特別な効果は、撮影の魅力を増加でき、ユーザの間のシェア交流と合致して、現在、携帯電話のために撮影効果を美化することは開発の趨勢となり、その開発ペースは既にカードカメラを超える。
【０００３】
モーション動画、即ち本来のゆっくりと変化する物体を変化速度がより速い物体に撮影した動画ビデオの主な原理は、撮影時はサンプリングビデオフレームの間の時間を引き伸ばし（例えば、秒当たり１フレーム）、再生する際には正常なフレームレートで再生する（例えば、秒当たり３０フレーム）。例えば、天空の雲の移動を撮影して、撮影した後の再生効果で天空で速く変化する雲に形成し、また例えば速く変化する日没過程、速く移動する星雲等を形成する。このような特別な効果は、人々に雄大な勢い感を与える。
【０００４】
しかし、モーション動画の撮影過程において、動画ビデオで人物の像をキャプチャすることは非常に困難である。動画ビデオを撮影する継続時間が長く、一般的に数分間〜数時間撮影することが理由であるが、仮に被撮影者をずっとレンズ前に数分間又は数時間つなぎ留めて動画ビデオを撮影するならば、ユーザは受け入れにくく、ユーザが動画ビデオを撮影する楽しみに大きい影響を及ぼす。
【０００５】
このため、モーション動画における人物の像の撮影問題を処理する適切な解決手段を必要となる。
【発明の概要】
【発明が解決しようとする課題】
【０００６】
本発明の実施例が解決しようとする技術的課題は、長時間の動的ビデオキャプチャ過程において、撮影主体がレンズ前に出現する時間を短縮し、ユーザ体験を改善することができる動的ビデオキャプチャの処理方法、システム及び装置を提供する。
【課題を解決するための手段】
【０００７】
上記の技術的課題を解決するために、本発明の実施例は、ビデオキャプチャの処理方法を提供し、該方法は、
背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成し、前記第１ビデオ及び第２ビデオの撮影時間長さは、前記第３ビデオの撮影時間長さよりも小さいステップ、及び
前記第１ビデオ及び前記第２ビデオを比較して、前記第１ビデオから主体画像を抽出して、背景が透明な主体画像フレームシーケンスを生成し、前記主体画像フレームシーケンスにおける各フレーム主体画像を順次に前記第３ビデオに重ね合わせて、主体及び目標背景を記録したビデオファイルを生成するステップ、を含む。
【０００８】
選択的に、背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成することは、
主体を撮影する命令を受信した後に、第１撮影サンプリングレートで背景サンプルの中にある主体を撮影し、撮影を停止する命令を受信した後に、第１ビデオを生成すること、
背景サンプルを撮影する命令を受信した後に、第１撮影サンプリングレートで背景サンプルを撮影して、撮影を停止する命令を受信した後に、第２ビデオを生成すること、及び
目標背景を撮影する命令を受信した後に、第２撮影サンプリングレートで目標背景を撮影して、撮影を停止する命令を受信した後に、第３ビデオを生成すること、を含み、
前記第１撮影サンプリングレートは、第２撮影サンプリングレートよりも大きい。
【０００９】
選択的に、前記第１ビデオ及び前記第２ビデオを比較して、前記第１ビデオから主体画像を抽出して、背景が透明な主体画像フレームシーケンスを生成することは、
前記第２ビデオから１フレームの画像を背景サンプル画像として抽出すること、及び
前記第１ビデオにおける各フレーム画像と前記背景サンプル画像を比較して、前記第１ビデオの各フレーム画像から背景サンプル画像を除去して、主体画像のみを保留して、主体を除いて透明である主体画像フレームシーケンスを生成すること、を含む。
【００１０】
選択的に、前記主体画像フレームシーケンスにおける各フレーム主体画像を順次に前記第３ビデオに重ね合わせることは、
前記主体画像フレームシーケンスにおける各フレーム主体画像を前記第３ビデオビットストリームに挿入して、前記第３ビデオビットストリームが最後のフレームに到達しないと、前記主体画像フレームシーケンスを繰り返して使用し画像を重ね合わせることを含む。
【００１１】
選択的に、前記主体及び目標背景を記録したビデオファイルはプレーヤーによりループ再生される。
【００１２】
本発明の実施例は、ビデオキャプチャの処理システムを更に提供し、該システムは、
背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成し、前記第１ビデオ及び第２ビデオの撮影時間長さは、前記第３ビデオの撮影時間長さよりも小さいように設定される撮影モジュール、及び
前記第１ビデオ及び前記第２ビデオを比較して、前記第１ビデオから主体画像を抽出して、背景が透明な主体画像フレームシーケンスを生成し、前記主体画像フレームシーケンスにおける各フレーム主体画像を順次に前記第３ビデオに重ね合わせて、主体及び目標背景を記録したビデオファイルを生成するように設定されるビデオ処理モジュールを備える。
【００１３】
選択的に、撮影モジュールは、
主体を撮影する命令を受信した後に、第１撮影サンプリングレートで背景サンプル中にある主体を撮影し、撮影を停止する命令を受信した後に、第１ビデオを生成し、
背景サンプルを撮影する命令を受信した後に、第１撮影サンプリングレートで背景サンプルを撮影して、撮影を停止する命令を受信した後に、第２ビデオを生成し、
目標背景を撮影する命令を受信した後に、第２撮影サンプリングレートで目標背景を撮影して、撮影を停止する命令を受信した後に、第３ビデオを生成し、
前記第１撮影サンプリングレートは、第２撮影サンプリングレートよりも大きいように設定される。
【００１４】
選択的に、ビデオ処理モジュールは、
前記第２ビデオから１フレームの画像を背景サンプル画像として抽出し、
前記第１ビデオにおける各フレーム画像と前記背景サンプル画像を比較して、前記第１ビデオの各フレーム画像から背景サンプル画像を除去して、主体画像のみを保留して、主体を除いて透明である主体画像フレームシーケンスを生成する方式で、前記第１ビデオ及び前記第２ビデオを比較して、前記第１ビデオから主体画像を抽出して、背景が透明な主体画像フレームシーケンスを生成するように設定される。
【００１５】
選択的に、ビデオ処理モジュールは、
前記主体画像フレームシーケンスにおける各フレーム主体画像を前記第３ビデオビットストリームに挿入して、前記第３ビデオビットストリームが最後のフレームに到達しないと、前記主体画像フレームシーケンスを繰り返して使用し画像を重ね合わせる方式で、前記主体画像フレームシーケンスにおける各フレーム主体画像を順次に前記第３ビデオに重ね合わせるように設定される。
【００１６】
選択的に、前記主体及び目標背景を記録したビデオファイルはプレーヤーによりループ再生される。
【００１７】
本発明の実施例は、ビデオキャプチャ装置を更に提供し、該装置は、
カメラ及びプロセッサを備え、
前記カメラは、前記プロセッサの制御で背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成し、前記第１ビデオ及び第２ビデオの撮影時間長さは、前記第３ビデオの撮影時間長さよりも小さいように設定され、
前記プロセッサは、前記カメラが撮影することを制御し、前記第１ビデオ及び前記第２ビデオを比較して、前記第１ビデオから主体画像を抽出して、背景が透明な主体画像フレームシーケンスを生成し、前記主体画像フレームシーケンスにおける各フレーム主体画像を順次に前記第３ビデオに重ね合わせて、主体及び目標背景を記録したビデオファイルを生成するように設定される。
【００１８】
選択的に、前記カメラは、
前記プロセッサの主体を撮影する命令を受信した後に、第１撮影サンプリングレートで背景サンプル中にある主体を撮影し、撮影を停止する命令を受信した後に、第１ビデオを生成し、
背景サンプルを撮影する命令を受信した後に、第１撮影サンプリングレートで背景サンプルを撮影して、撮影を停止する命令を受信した後に、第２ビデオを生成し、
目標背景を撮影する命令を受信した後に、第２撮影サンプリングレートで目標背景を撮影して、撮影を停止する命令を受信した後に、第３ビデオを生成し、
前記第１撮影サンプリングレートは、第２撮影サンプリングレートよりも大きいように設定される。
【００１９】
選択的に、前記プロセッサは、
前記第２ビデオから１フレームの画像を背景サンプル画像として抽出し、
前記第１ビデオにおける各フレーム画像と前記背景サンプル画像を比較して、前記第１ビデオの各フレーム画像から背景サンプル画像を除去して、主体画像のみを保留して、主体を除いて透明である主体画像フレームシーケンスを生成する方式で、前記第１ビデオ及び前記第２ビデオを比較して、前記第１ビデオから主体画像を抽出して、背景が透明な主体画像フレームシーケンスを生成するように設定される。
【００２０】
選択的に、前記プロセッサは、
前記主体画像フレームシーケンスにおける各フレーム主体画像を前記第３ビデオビットストリームに挿入して、前記第３ビデオビットストリームが最後のフレームに到達しないと、前記主体画像フレームシーケンスを繰り返して使用し画像を重ね合わせる方式で、前記主体画像フレームシーケンスにおける各フレーム主体画像を順次に前記第３ビデオに重ね合わせるように設定される。
【００２１】
選択的に、前記装置は、
ディスプレイを更に備え、前記プロセッサは更に、前記主体及び目標背景を記録したビデオファイルの前記ディスプレイでのループ再生を制御するように設定される。
【００２２】
本発明の実施例は、コンピュータ可読記憶媒体を更に提供し、プログラム命令が記憶され、該プログラム命令が実行される際に上記に記載の方法を実現することができる。
【発明の効果】
【００２３】
関連技術と比べて、本発明の実施例による動的ビデオキャプチャの処理方法及びシステムは、それぞれ主体の短いビデオ、背景サンプルの短いビデオ及び目標背景の長いビデオを撮影して、主体の短いビデオを処理して背景が透明な主体画像フレームシーケンスを生成し、背景が透明な主体画像フレームシーケンスを目標背景の長いビデオに重ね合わせて、主体が目標背景における動画ビデオファイルを生成することにより、長時間の動的ビデオキャプチャ過程において、撮影主体がレンズ前に出現する時間を短縮し、ユーザ体験を改善することができる。
【図面の簡単な説明】
【００２４】
【図１】図１は、本発明の実施例におけるビデオキャプチャの処理方法のフローチャートである。
【図２】図２は、本発明の実施例におけるビデオキャプチャの処理システムを示す構造模式図である。
【図３】図３は、本発明の実施例におけるビデオキャプチャ装置を示す構造模式図である。
【図４】図４は、本発明の応用例の動的ビデオキャプチャの処理方法のフローチャートである。
【発明を実施するための形態】
【００２５】
以下、図面を参照しながら本発明の実施例について詳細に説明する。なお、矛盾が生じない場合には、本出願における実施例及び実施例における特徴は互いに任意に組み合わせることができる。
【００２６】
図１に示すように、本発明の実施例は、ビデオキャプチャの処理方法を提供し、該方法は、以下のステップＳ１０とＳ２０を含む。
Ｓ１０： 背景サンプル中にある主体、背景サンプル及び目標背景を撮影して、それぞれ主体及び背景サンプルを記録する第１ビデオ、背景サンプルを記録する第２ビデオ及び目標背景を記録する第３ビデオを生成する。
Ｓ２０： 前記第１ビデオ及び前記第２ビデオを比較して、前記第１ビデオから主体画像を抽出して、背景が透明な主体画像フレームシーケンスを生成し、前記主体画像フレームシーケンスにおける各フレーム主体画像を順次に前記第３ビデオに重ね合わせて、主体及び目標背景を記録したビデオファイルを生成する。
【００２７】
背景サンプル中にある主体及び背景サンプルに対してそれぞれ短時間撮影を行い、目標背景に対して長時間のスロー撮影を行ってもよい。
【００２８】
該方法は、さらに以下の特徴を含む。
背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成することは、
主体を撮影する命令を受信した後に、第１撮影サンプリングレートで背景サンプル中にある主体を撮影し、撮影を停止する命令を受信した後に、第１ビデオを生成すること、
背景サンプルを撮影する命令を受信した後に、第１撮影サンプリングレートで背景サンプルを撮影して、撮影を停止する命令を受信した後に、第２ビデオを生成すること、及び
目標背景を撮影する命令を受信した後に、第２撮影サンプリングレートで目標背景を撮影して、撮影を停止する命令を受信した後に、第３ビデオを生成すること、を含み、
前記第１撮影サンプリングレートは、第２撮影サンプリングレートよりも大きい。
【００２９】
前記第１ビデオ及び前記第２ビデオを比較して、前記第１ビデオから主体画像を抽出して、背景が透明な主体画像フレームシーケンスを生成することは、
前記第２ビデオから１フレームの画像を背景サンプル画像として抽出すること、及び
前記第１ビデオにおける各フレーム画像と前記背景サンプル画像を比較して、前記第１ビデオの各フレーム画像から背景サンプル画像を除去して、主体画像のみを保留して、主体を除いて透明である主体画像フレームシーケンスを生成することを含み、
前記主体画像フレームシーケンスは、１フレーム又はマルチフレーム主体画像を含む。
前記主体画像フレームシーケンスにおける各フレーム主体画像を順次に前記第３ビデオに重ね合わせることは、
前記主体画像フレームシーケンスにおける各フレーム主体画像を前記第３ビデオビットストリームに重ね合わせて、前記第３ビデオビットストリームが最後のフレームに到達しないと、前記主体画像フレームシーケンスを繰り返して使用し画像を重ね合わせることを含む。
【００３０】
前記主体及び目標背景を記録した動画ビデオファイルはプレーヤーによりループ再生されることができる。
【００３１】
図２に示すように、本発明の実施例は、ビデオキャプチャの処理システムを提供し、該システムは、
背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成し、前記第１ビデオ及び第２ビデオの撮影時間長さは、前記第３ビデオの撮影時間長さよりも小さいように設定される撮影モジュール、及び
前記第１ビデオ及び前記第２ビデオを比較して、前記第１ビデオから主体画像を抽出して、背景が透明な主体画像フレームシーケンスを生成し、前記主体画像フレームシーケンスにおける各フレーム主体画像を順次に前記第３ビデオに重ね合わせて、主体及び目標背景を記録したビデオファイルを生成するように設定されるビデオ処理モジュールを備える。
【００３２】
撮影モジュールは、
主体を撮影する命令を受信した後に、第１撮影サンプリングレートで背景サンプル中にある主体を撮影し、撮影を停止する命令を受信した後に、第１ビデオを生成し、
背景サンプルを撮影する命令を受信した後に、第１撮影サンプリングレートで背景サンプルを撮影して、撮影を停止する命令を受信した後に、第２ビデオを生成し、
目標背景を撮影する命令を受信した後に、第２撮影サンプリングレートで目標背景を撮影して、撮影を停止する命令を受信した後に、第３ビデオを生成するように設定され、
前記第１撮影サンプリングレートは、第２撮影サンプリングレートよりも大きい。
【００３３】
ビデオ処理モジュールは、前記第１ビデオ及び前記第２ビデオを比較して、前記第１ビデオから主体画像を抽出して、背景が透明な主体画像フレームシーケンスを生成するように設定され、
前記第２ビデオから１フレームの画像を背景サンプル画像として抽出すること、及び
前記第１ビデオにおける各フレーム画像と前記背景サンプル画像を比較して、前記第１ビデオの各フレーム画像から背景サンプル画像を除去して、主体画像のみを保留して、主体を除いて透明である主体画像フレームシーケンスを生成することを含む。
【００３４】
ビデオ処理モジュールは、前記主体画像フレームシーケンスにおける各フレーム主体画像を順次に前記第３ビデオに重ね合わせるように設定され、
前記主体画像フレームシーケンスにおける各フレーム主体画像を前記第３ビデオビットストリームに重ね合わせて、前記第３ビデオビットストリームが最後のフレームに到達しないと、前記主体画像フレームシーケンスを繰り返して使用し画像を重ね合わせることを含む。
前記主体及び目標背景を記録した動画ビデオファイルはプレーヤーによりループ再生される。
【００３５】
図３に示すように、本発明の実施例は、ビデオキャプチャ装置を更に提供し、
カメラ及びプロセッサを備え、
前記カメラは、前記プロセッサの制御で背景サンプル中にある主体、背景サンプル及び目標背景をそれぞれ撮影して、それぞれ主体及び背景サンプルを記録する第１ビデオ、背景サンプルを記録する第２ビデオ及び目標背景を記録する第３ビデオを生成し、前記第１ビデオ及び第２ビデオの撮影時間長さは、前記第３ビデオの撮影時間長さよりも小さいように設定され、
前記プロセッサは、前記カメラが撮影することを制御し、前記第１ビデオ及び前記第２ビデオを比較して、前記第１ビデオから主体画像を抽出して、背景が透明な主体画像フレームシーケンスを生成し、前記主体画像フレームシーケンスにおける各フレーム主体画像を順次に前記第３ビデオに重ね合わせて、主体及び目標背景を記録したビデオファイルを生成するように設定される。
【００３６】
前記カメラは、
前記プロセッサの主体を撮影する命令を受信した後に、第１撮影サンプリングレートで背景サンプル中にある主体を撮影し、撮影を停止する命令を受信した後に、第１ビデオを生成し、
背景サンプルを撮影する命令を受信した後に、第１撮影サンプリングレートで背景サンプルを撮影して、撮影を停止する命令を受信した後に、第２ビデオを生成し、
目標背景を撮影する命令を受信した後に、第２撮影サンプリングレートで目標背景を撮影して、撮影を停止する命令を受信した後に、第３ビデオを生成するように設定され、
前記第１撮影サンプリングレートは、第２撮影サンプリングレートよりも大きい。
【００３７】
前記プロセッサは、
前記第２ビデオから１フレームの画像を背景サンプル画像として抽出し、
前記第１ビデオにおける各フレーム画像と前記背景サンプル画像を比較して、前記第１ビデオの各フレーム画像から背景サンプル画像を除去して、主体画像のみを保留して、主体を除いて透明である主体画像フレームシーケンスを生成する方式で、前記第１ビデオ及び前記第２ビデオを比較して、前記第１ビデオから主体画像を抽出して、背景が透明な主体画像フレームシーケンスを生成するように設定される。
【００３８】
前記プロセッサは、
前記主体画像フレームシーケンスにおける各フレーム主体画像を前記第３ビデオビットストリームに挿入して、前記第３ビデオビットストリームが最後のフレームに到達しないと、前記主体画像フレームシーケンスを繰り返して使用し画像を重ね合わせる方式で、前記主体画像フレームシーケンスにおける各フレーム主体画像を順次に前記第３ビデオに重ね合わせるように設定される。
【００３９】
前記装置は、ディスプレイを更に備えてもよく、前記プロセッサは更に、前記主体及び目標背景を記録したビデオファイルが前記ディスプレイにループ再生することを制御するように設定される。
【００４０】
応用例
図４に示すように、携帯電話は人物の像の動画ビデオを撮影する過程は、以下のステップＳ１０１〜Ｓ１０８を含む。
Ｓ１０１： 撮影パラメータを予め設定して、ユーザが動的ビデオキャプチャを起動することを待つ。
撮影パラメータは、目標背景を撮影するスロー撮影サンプリングレート、背景サンプル中にある人物の像の撮影時間長さ、背景サンプルの撮影時間長さ、及び目標背景の撮影時間長さというパラメータの１種又は多種を含んでもよい。
【００４１】
Ｓ１０２： ユーザが動的ビデオキャプチャを起動したことを検出する。
Ｓ１０３： 人物の像を撮影する命令を検知して、人物の像のビデオクリップ撮影を行い、撮影を停止する命令を受信した後に人物の像の撮影を停止し、或いは、予定の撮影時間長さに到達した際に人物の像の撮影を停止して、人物の像の短いビデオを生成する。
例えば、正常な撮影サンプリングレート（例えば、１秒３０フレーム）で表示フレームの中の人物を撮影して、連続的に３秒を撮影する。即ち、ユーザが停止プッシュボタンを押したことを検出し、或いは、予定の撮影時間長さ（例えば、３秒）に到達した際に、人物の像の撮影を停止して、人物の像のビデオクリップを生成する。撮影が完成した後に、ユーザに人物の像の撮影が完成した提示情報を表示することができる。
【００４２】
表示フレームにおける背景サンプルは、目標背景と同一の事物であっても、又は異なる事物であってもよい。
【００４３】
Ｓ１０４： 背景サンプルを撮影する命令を検知して、背景サンプルのビデオクリップ撮影を行い、撮影を停止する命令を受信した後に背景サンプルの撮影を停止し、或いは、予定の撮影時間長さに到達した際に背景サンプルの撮影を停止して、背景サンプルの短いビデオを生成する。
例えば、正常な撮影サンプリングレート（例えば、１秒３０フレーム）で表示フレームの中の背景サンプルを撮影して、連続的に１秒を撮影する。即ち、ユーザが停止プッシュボタンを押したことを検出し、或いは、予定の撮影時間長さ（例えば、１秒）に到達した際に、背景サンプルの撮影を停止して、背景サンプルのビデオクリップを生成する。撮影が完成した後に、ユーザに背景サンプルの撮影が完成した提示情報を表示することができる。
【００４４】
Ｓ１０５： 目標背景を撮影する命令を検知して、目標背景のスロー撮影を行い、撮影を停止する命令を受信した後に目標背景の撮影を停止し、或いは、予定の撮影時間長さに到達した際に目標背景の撮影を停止して、目標背景ビデオを生成する。
例えば、正常な撮影サンプリングレートより低いスロー撮影サンプリングレート（例えば、１秒１フレーム）で目標背景を撮影して、３分間（１８０秒）連続的に撮影する。即ち、ユーザが停止プッシュボタンを押したことを検出し、或いは、予定の撮影時間長さ（例えば、３分間）に到達した際に、目標背景の撮影を停止して、目標背景の長いビデオを生成する。撮影が完成した後に、更にユーザに目標背景の撮影が完成した提示情報を表示することができる。
【００４５】
スロー撮影は、一般的に０.２−６０秒１フレームを指し、１−５秒１フレームがよく用いられる。
【００４６】
Ｓ１０６： 人物の像の短いビデオ及び背景サンプルの短いビデオを比較して、撮影主体（人物の像）を除いて透明な主体画像フレームシーケンスを生成する。
【００４７】
Ｓ１０７： 目標背景ビデオをサンプリングしてシーケンスフレームを取得し、背景が透明な人物の像のフレームシーケンスを、順次に目標背景サンプリングフレームに重ね合わせて、人物の像を重ね合わせた動画ビデオファイルを生成する。
【００４８】
Ｓ１０８： 正常な再生速度（例えば、１秒３０フレーム）で動画ビデオファイルを再生する。
プレーヤーは動画ビデオファイルをループ再生することもできる。
【００４９】
目標背景のサンプリングを１秒１フレームに設定し、３分間で１８０フレームの目標背景を撮影することができるため、人物の像を重ね合わせた後の動画ビデオビットストリームには１８０フレームの画像が含まれ、プレーヤーの再生フレームレートが１秒で３０フレームを再生する際に、１８０フレームが６秒で再生することができる。即ち３分間（１８０秒）の撮影は６秒内で再生を完成し、その時間が３０倍加速し、人物の像及び目標背景（例えば、雲、太陽、又は船舶等）の高速移動の特別な効果を実現する。
【００５０】
本発明の技術的解決手段を採用しないと、撮影主体（例えば人物）をレンズ前に３分間つなぎ留めておく必要があり、このような撮影条件は、大部分のユーザが受け入れることができない。このため、上記動的ビデオキャプチャ手段を採用して、撮影主体（例えば、人物）がレンズ前に出現する時間を大幅に減少して、ゆっくり動く物体が高速で動く特別な効果を実現し、携帯電話の撮影に新しいサプライズ体験をもたらす。
【００５１】
上記実施例による動的ビデオキャプチャの処理方法及びシステムは、それぞれ主体の短いビデオ、背景サンプルの短いビデオ及び目標背景の長いビデオを撮影して、主体の短いビデオを処理して背景が透明な主体画像フレームシーケンスを生成し、背景が透明な主体画像フレームシーケンスを目標背景の長いビデオに重ね合わせて、主体が目標背景にある動画ビデオファイルを生成することにより、長時間の動的ビデオキャプチャ過程において、撮影主体がレンズ前に出現する時間を短縮し、ユーザ体験を改善することができる。
【００５２】
当業者は、上記実施例の全部又は一部のステップがコンピュータプログラムプロセスで実現することができ、前記コンピュータプログラムはコンピュータ可読記憶媒体に記憶されることができ、前記コンピュータプログラムは対応するハードウェアプラットフォーム（例えばシステム、機器、装置、デバイス等）で実行し、実行する際、方法の実施例のステップの１つ又はその組み合わせを含むことを理解することができる。
【００５３】
選択的に、上記実施例の全部又は一部のステップは集積回路を使用して実現することもでき、これらのステップはそれぞれ一つ一つの集積回路モジュールで製造されるか、又はそれらの中の複数のモジュール又はステップを単一の集積回路モジュールで製造して実現することができる。
【００５４】
上記実施例における各装置/機能モジュール/機能ユニットは汎用のコンピュータ装置を採用して実現することができ、それらは単一のコンピュータ装置に集積されてもよいし、複数のコンピュータ装置からなるネットワークに分布されてもよい。
【００５５】
上記実施例における各装置/機能モジュール/機能ユニットはソフトウェア機能モジュールで実現するとともに独立な製品として販売又は使用される場合、１つのコンピュータ読み取り可能な記憶媒体に記憶することができる。上記のコンピュータ読み取り可能な記憶媒体は、読み取り専用メモリ、磁気ディスク又はＣＤ等であってもよい。
【産業上の利用可能性】
【００５６】
本発明の実施例は、長時間の動的ビデオキャプチャ過程において、撮影主体がレンズ前に出現する時間を短縮し、ユーザ体験を改善することができる。
【図１】
0006413018.tif 000002
【図２】
0006413018.tif 000003
【図３】
0006413018.tif 000004
【図４】
0006413018.tif 000005